(57)【要約】【課題】誘導された対象害虫のみならず、巣内の対象害虫を全滅できるシロアリ、クロアリ等の徘徊性害虫の除去装置を提供すること。【解決手段】装置本体の設置面より所定の高さを有するステージの略中央に配置された毒餌置場と、前記設置面とステージを結ぶスロープ部と、鏡面仕上げされた壁部材と、スロープを形成すると共に、当該スロープの一部に孔を形成し、鏡面仕上げされた屋根部材とからなり、前記壁部材は、前記毒餌置場とステージの周囲を囲蔽すると共に、スロープ部に対応する下端位置に対象害虫の通過可能なスリット部を有し、前記毒餌置場に形成された対象害虫侵入孔には、前記設置面まで達する柱状部材が配設されたので、誘導された対象害虫がスロープ部から毒餌置場に到達し、ここで毒餌を摂取して死亡し、或いは毒餌と接触した対象害虫が帰巣し、または毒餌を営巣に持ち帰ることにより巣内の対象害虫を全滅することができる。【選択図】図１
2009131192.tif 000002
【特許請求の範囲】
【請求項１】
装置本体の設置面より所定の高さを有するステージの略中央に配置された毒餌置場と、前記設置面とステージを結ぶスロープ部と、鏡面仕上げされた壁部材と、スロープを形成すると共に、当該スロープの一部に孔を形成し、鏡面仕上げされた屋根部材とからなり、
前記壁部材は、前記毒餌置場とステージの周囲を囲蔽すると共に、スロープ部に対応する下端位置に対象害虫の通過可能なスリット部を有し、
前記毒餌置場に形成された対象害虫侵入孔には、前記設置面まで達する柱状部材が配設されたことを特徴とするシロアリ、クロアリ等の徘徊性害虫の除去装置。
【請求項２】
前記スロープ部は、梨地等の滑り難い形状に構成されたことを特徴とする請求項１に記載のシロアリ、クロアリ等の徘徊性害虫の除去装置。
【請求項３】
前記柱状部材は、表面が粗面形成されたことを特徴とする請求項１または２に記載のシロアリ、クロアリ等の徘徊性害虫の除去装置。
【発明の詳細な説明】
【技術分野】
【０００１】
本発明は、シロアリ等を誘引して捕獲し、或いは毒餌を巣に持ち帰らせて巣全体を駆除するシロアリ、クロアリ等の徘徊性害虫の除去装置に関するものである。
【背景技術】
【０００２】
従来、家屋等の木造構造物をシロアリの被害から保護するために、シロアリの存在する可能性のある領域、あるいは、シロアリの被害を予防することが必要な領域に殺虫剤を散布する方法が行われている。
【０００３】
しかし、巣の所在を特定せずに多量の殺虫剤を散布することは、生き残ったシロアリに薬剤耐性を与えるなどの問題があり、環境への影響等を考慮すると大量の殺虫剤を散布することは好ましくない。
【０００４】
そこで、所定の容器内に誘引剤及び殺虫剤を配置してシロアリを容器内に集め、容器内でシロアリ駆除用の薬剤と接触すると、この薬剤を摂餌または接触したシロアリが駆除されると共に、このようなシロアリ自体が帰巣後に死亡することで巣内に薬剤が散布され、或いは殺虫剤を持ち帰ることで営巣しているシロアリの群れ全体を駆除できる可能性がある。
【０００５】
例えば、特開平９−３１３０８４号公報に記載のシロアリの誘引装置は上面開口の容器にシロアリの餌木を収容し、前記容器の底部に排水管を連結し、この排水管及び容器の側壁にシロアリが通過可能な孔を形成して、誘引する構成である。また、土中に埋設された排水管からは、餌木に接触した水が浸透し、容器内へシロアリを誘引して、餌木に営巣させた状態で捕獲するものである。
【特許文献１】特開平９−３１３０８４号公報
【発明の開示】
【発明が解決しようとする課題】
【０００６】
しかし、このような構成の従来のシロアリの誘引装置にあっては、装置内の餌木に営巣するまで時間がかかる上に、何時、シロアリの群れが従来の巣から装置内に引っ越したかを知ることは困難である。また、必ず装置内の餌木に営巣するとは、限らず、不確実な駆除方法である。
【課題を解決するための手段】
【０００７】
前記目的を達成するために、本発明は装置本体の設置面より所定の高さを有するステージの略中央に配置された毒餌置場と、前記設置面とステージを結ぶスロープ部と、鏡面仕上げされた壁部材と、スロープを形成すると共に、当該スロープの一部に孔を形成し、鏡面仕上げされた屋根部材とからなり、前記壁部材は、前記毒餌置場とステージの周囲を囲蔽すると共に、スロープ部に対応する下端位置に対象害虫の通過可能なスリット部を有し、前記毒餌置場に形成された対象害虫侵入孔には、前記設置面まで達する柱状部材が配設されたことを特徴としている。
【０００８】
また、本発明において、前記スロープ部は、梨地等の滑り難い形状に構成されたことを特徴とするものである。
【０００９】
また、本発明において、前記柱状部材は、表面が粗面形成されたことを特徴とするものである。
【発明の効果】
【００１０】
この発明は前記した構成からなるので、以下に説明するような効果を奏することができる。
【００１１】
請求項１に記載の発明では、設置面より所定の高さを有するステージの略中央に配置された毒餌置場と、前記設置面とステージを結ぶスロープ部と、鏡面仕上げされた壁部材と、スロープを形成すると共に、当該スロープの一部に孔を形成し、鏡面仕上げされた屋根部材とからなり、前記壁部材は、前記毒餌置場とステージの周囲を囲蔽すると共に、スロープ部に対応する下端位置に対象害虫の通過可能なスリット部を有し、前記毒餌置場に形成された対象害虫侵入孔には、前記設置面まで達する柱状部材が配設されたので、毒餌に誘導された対象害虫がスリット部を通過して、スロープ部から毒餌置場の餌に誘導され、毒餌置場に到達し、ここで毒餌を摂取して死亡し、或いは毒餌と接触した対象害虫が毒餌に汚染されたまま帰巣し、または毒餌を営巣に持ち帰ることにより巣内の対象害虫を全滅することができる。
また、スロープの一部に孔を形成し、鏡面仕上げされた屋根部材から、対象害虫が落下して直接装置内部に導かれる。更に、毒餌置場が設置面より所定の高さに配置されるとともに、上面及び周囲が囲蔽されているので、屋外に設置しても毒餌置場の毒餌が湿気で劣化するのを防止できる。更に、スリット部を設けたので、アリ類以外の昆虫等の侵入を防止することができる。
【００１２】
請求項２に記載の発明では、前記スロープ部は、梨地等の滑り難い形状に構成されたので、毒餌に誘導された対象害虫がスロープ部を容易に登り大量の対象害虫を誘引することができる。
【００１３】
請求項３に記載の発明では、前記柱状部材は、表面が粗面形成されたので、装置直下の対象害虫が柱状部材から直接装置内部に到達することができる。
【発明を実施するための最良の形態】
【００１４】
本発明は、設置面より所定の高さを有するステージの略中央に配置された毒餌置場と、前記設置面とステージを結ぶスロープ部と、鏡面仕上げされた壁部材と、内側に向けてスロープを形成すると共に、当該スロープの一部に孔を形成し、鏡面仕上げされた屋根部材とからなり、前記壁部材は、前記毒餌置場とステージの周囲を囲蔽すると共に、スロープ部に対応する下端位置に対象害虫の通過可能なスリット部を有し、前記毒餌置場に形成された対象害虫侵入孔には、前記設置面まで達する柱状部材が配設されたので、屋外に設置しても毒餌が湿気で劣化することがない。
【実施例１】
【００１５】
以下、一実施の形態を示す図面に基づいて本発明を詳細に説明する。図１は本発明に係るシロアリ、クロアリ等の徘徊性害虫の除去装置の屋根部材を取り除いた平面図、図２は図１に於けるＡ−Ａ線断面図、図３は図１に於けるＢ−Ｂ線断面図である。ここで、シロアリ、クロアリ等の徘徊性害虫の除去装置１０は、設置面より所定の高さＨを有するステージ１３の略中央に配置された毒餌置場１２と、前記設置面１１とステージ１３を結ぶスロープ部１４と、鏡面仕上げされた壁部材１６と、スロープ２０を形成すると共に、当該スロープ２０の一部に孔１９を形成し、鏡面仕上げされた屋根部材１５とからなり、前記壁部材１６は、前記毒餌置場１２とステージ１３の周囲を囲蔽すると共に、スロープ部１４に対応する下端位置に対象害虫の通過可能なスリット部１８を有し、前記毒餌置場１２に形成された対象害虫侵入孔２１には、前記設置面１１まで達する柱状部材２２が配設されている。
【００１６】
対象害虫侵入孔２１は、例えば、毒餌置場１２の四隅に形成されており、略瓢箪形をしており、上から柱状部材２２を打ち込んでも、頭部で対象害虫侵入孔２１が塞がれる事なく、対象害虫が出入りできる。図６は、対象害虫侵入孔１９と柱状部材２２の関係を示す説明図である。柱状部材２２は、害虫が登り易いように小さな凹凸が形成されている。また、柱状部材２２は、装置本体の固定に利用することができる。
【００１７】
毒餌置場１２及びステージ１３、スロープ部１４は、ステンレス鋼等の板、合成樹脂等で一体的に構成してもよい。ステージ１３の中央に設置された、毒餌置場１２の一部に対象害虫侵入孔２１が形成されており、柱状部材２２が上から挿入され設置面１１まで到達している。柱状部材２２は、粗面かつ棒状に形成されて、対象害虫が昇降容易となっている。特に、スロープ部１４は、対象害虫が歩き易いように梨地、細かい凹凸等の滑り難い形状に構成する。また、壁部材１６は、ステンレス鋼等の板、合成樹脂等の表面が鏡面加工された、滑り易い部材で形成し、対象害虫が登ることができないように加工する。
【００１８】
屋根部材１５は、図３、４等に示すように複数のスロープ２０を有する凹部が複数形成されており、表面が鏡面仕上げされている。また、凹部の底には孔１９が形成されている。この孔１９から対象害虫が装置内へ誘導される構造である。孔１９の平面位置は、下に設置される毒餌置場１２の位置から外れるように設定する。本実施例においては、孔１９を２箇所に設けそれぞれの孔に向かって傾斜するようにスロープ２０を設けている。スロープ２０は、平面を傾斜させたものでもよいし、曲面であってもよい。なお、孔の数は２個に限ることなく、３個以上であってもよい。
【００１９】
また、屋根部材１５は、壁部材１６の内壁上端に設けられた鉤部材２３により、装置上面に設置される。また、取り外す場合にも、容易に取り外すことができ、対象害虫の誘導状態や毒餌の状態を容易に点検できる。
【００２０】
スリット部１８は、図に示す例では、本体の四面に形成されたているが、２面或いは３面であってもよい。また、このスリット部１８は、装置本体の四隅に形成されてもよい。スリット部１８の高さＨは、約５ｍｍ程度の対象害虫が通過できる寸法とする。
【００２１】
以上のように構成された本発明に係るシロアリ、クロアリ等の徘徊性害虫の除去装置１０の使用方法について説明する。先ず、シロアリ、クロアリ等の徘徊性害虫の除去装置１０を対象害虫等を駆除するべき場合に設置する。本発明のシロアリ、クロアリ等の徘徊性害虫の除去装置１０は、屋外であっても設置することができる。また、床下等の屋内であってもよい。設置場所の付近に対象害虫が棲息していれば、毒餌置場１２に置かれた毒餌の匂いに誘われて装置に近づき、スロープ部１４から侵入する。侵入した対象害虫は、ステージ１３から毒餌置場１２に到達し、ここに置かれた毒餌に触れる。毒餌に触れた対象害虫は、再度自分の巣穴に戻り、他の仲間の対象害虫に接触して、２、３日後に接触した全ての対象害虫が死滅する。このようにして、シロアリ、クロアリ等の徘徊性害虫の除去装置の毒餌に直接触れた対象害虫のみならず、二次接触した対象害虫も全て駆除することができる。
【００２２】
また、壁部材１６の表面は鏡面加工されているので滑り易く、対象害虫が壁部材から屋根部材１５まで登ることはできない。
【００２３】
なお、以上の実施の形態ではシロアリ等の害虫の場合について説明したが、毒餌置場に通常の害虫の好む餌を毒餌とともに混合しておけば、通常の害虫も駆除することもできる。
【００２４】
図５は、他の実施例を示す屋根部材を取り除いた平面図である。本実施例において、毒餌置場３０を円形に構成したものである。この様に構成した場合であっても、匂いに誘われて装置に近づき、スロープ部１４から侵入する。侵入した対象害虫は、ステージ１３から毒餌置場３０に到達し、毒餌に触れる。毒餌に触れた対象害虫は、再度自分の巣穴に戻り、他の仲間の対象害虫に接触して、２、３日後に接触した全ての対象害虫が死滅する。
【００２５】
図７は、他の実施例を示すシロアリ、クロアリ等の徘徊性害虫の除去装置の縦断面図である。本実施例においては、毒餌置場１２の直上に雨水除けの天蓋２４を設置したものである。天蓋２４は、毒餌置場１２よりやや大きく形成されており、下端に複数の出入り孔２５が形成されている。
【００２６】
以上のように構成した場合、屋根部材１５に雨水がかかった場合でも、毒餌置場１２が浸水することなく、毒餌が湿気で劣化するのを防止できる。また、屋根部材１５から孔１９を経て侵入した対象害虫も、毒餌置場１２に導くことができる。
【００２７】
なお、本発明は上述の実施例に限定されることなく、特許請求の範囲の記載に基づいて種々の設計変更が可能である。
【図面の簡単な説明】
【００２８】
【図１】図１は、本発明に係るシロアリ、クロアリ等の徘徊性害虫の除去装置の屋根部材を取り除いた平面図である。
【図２】図２は、図１に於けるＡ−Ａ線断面図である。
【図３】図３は、図１に於けるＢ−Ｂ線断面図である。
【図４】図４は、シロアリ、クロアリ等の徘徊性害虫の除去装置の屋根部材を外した状態を示す斜視図である。
【図５】図５は、他の実施例を示す屋根部材を取り除いた平面図である。
【図６】図６は、対象害虫侵入孔と柱状部材の関係を示す説明図である。
【符号の説明】
【００２９】
１０      シロアリ、クロアリ等の徘徊性害虫の除去装置
１１      設置面
１２      毒餌置場
１３      ステージ
１４      スロープ部
１５      屋根部材
１６      壁部材
１８      スリット部
１９      孔
２０      スロープ
２１      対象害虫侵入孔
２２      柱状部材
２３      鉤部材
２４      天蓋
２５      出入り孔
【図１】
2009131192.tif 000003
【図２】
2009131192.tif 000004
【図３】
2009131192.tif 000005
【図４】
2009131192.tif 000006
【図５】
2009131192.tif 000007
【図６】
2009131192.tif 000008
【手続補正書】
【提出日】平成20年3月10日(2008.3.10)
【手続補正１】
【補正対象書類名】明細書
【補正対象項目名】００２５
【補正方法】変更
【補正の内容】
【００２５】
図６は、対象害虫侵入孔と柱状部材の関係を示す説明図である。柱状部材２２は、装置本体を固定するために、地面に打ち込むものであるが、毒餌置場１２に形成された対象害虫侵入孔２１を通して、上から金槌等で打ち込む。また、対象害虫侵入孔２１は、略瓢箪形をしているので、上から柱状部材２２を打ち込んでも、頭部で対象害虫侵入孔２１が全部塞がれる事なく、対象害虫が出入りできる。更に、柱状部材２２の表面は、害虫が容易に登れるように無数の凹凸が形成してある。
【手続補正２】
【補正対象書類名】明細書
【補正対象項目名】００２６
【補正方法】変更
【補正の内容】
【００２６】
以上のように構成した場合、除去装置を柱状部材を使用して、地面等に打ち付けて固定することができる。また、柱状部材及び対象害虫侵入孔から除去装置の真下に居る対象害虫を毒餌置場に導くことができる。
【手続補正３】
【補正対象書類名】明細書
【補正対象項目名】００２９
【補正方法】変更
【補正の内容】
【００２９】
１０      シロアリ、クロアリ等の徘徊性害虫の除去装置
１１      設置面
１２      毒餌置場
１３      ステージ
１４      スロープ部
１５      屋根部材
１６      壁部材
１８      スリット部
１９      孔
２０      スロープ
２１      対象害虫侵入孔
２２      柱状部材
２３      鉤部材
３０      毒餌置場